(57)【要約】【課題】既設の建築物の外壁に胴縁を介して外装パネルを設置するための出隅役物を提供することである。【解決手段】既設の建築物の外壁５を覆う外装パネル６を設置するための出隅役物４が、外装パネル６の内側に配置されるベース部４ｂと、外装パネル６の外側に配置されるカバー部４ａとを備えており、前記ベース部４ｂとカバー部４ａとは一体に構成されており、既設の建築物のコーナー部近傍の外壁５に、鉛直方向に延びる胴縁２を配置し、前記ベース部４ｂが、前記胴縁２を介して既設の建築物の外壁５に固定されるようにした。【選択図】図３
2007120047.tif 000002
【特許請求の範囲】
【請求項１】
既設の建築物の外壁を覆う外装パネルを設置するための出隅役物が、外装パネルの内側に配置されるベース部と、外装パネルの外側に配置されるカバー部とを備えており、前記ベース部とカバー部とは一体に構成されており、既設の建築物のコーナー部近傍の外壁に、鉛直方向に延びる胴縁を配置し、前記ベース部が、前記胴縁を介して既設の建築物の外壁に固定されることを特徴とする外装パネルを設置する出隅役物構成体。
【請求項２】
前記胴縁は断面が溝型形状であり、前記胴縁に押圧するだけで装着可能な接続部材を前記胴縁に設け、前記接続部材と出隅役物とを固着したことを特徴とする請求項１に記載の外装パネルを設置する出隅役物構成体。
【請求項３】
前記接続部材に突出部を設け、前記胴縁に前記突出部と係合する係合部を設けたことを特徴とする請求項２に記載の外装パネルを設置する出隅役物構成体。
【請求項４】
前記接続部材の一部を押圧変形させて前記突出部を形成したことを特徴とする請求項３に記載の外装パネルを設置する出隅役物構成体。
【請求項５】
接続部材に雌ねじを設け、前記ベース部を貫通するねじを前記雌ねじと螺合させることにより、出隅役物と胴縁とを一体化させることを特徴とする請求項２〜４のうちのいずれかに記載の外装パネルを設置する出隅役物構成体。
【発明の詳細な説明】
【技術分野】
【０００１】
本発明は、既設の建築物の外壁に、外装パネルを設置するための出隅役物に関するものである。
【背景技術】
【０００２】
従来から、既設建築物の外壁を補修する代わりに、化粧板で新たな外壁を形成する工事が行われている。これは、経年によって劣化した外壁や、その他災害等によって破損した外壁を補修する際に、非常に有効な手段である。また、既存の外壁に不具合がなくても、模様替えを行う際に有効な手段である。
【０００３】
図４及び図５は、従来の出隅役物を使用して外装パネルを設置した場合の斜視図である。従来は、外壁の出隅部を覆うための出隅役物２０を、外装パネルの内側に配置されるベース部材２１と、外側に配置されるカバー部材２２とを接続することにより構成し、図４に示す状態を実現していた。
【０００４】
しかし、この構成では、図５に示すように、ベース部材２１に対するカバー部材２２の鉛直方向下方へのずれを防止することができず、見栄えが悪くなる。そこで、この問題を解決することができるものとして、例えば、特許文献１が提案されている。
【特許文献１】特開平１０−２７３９６２号公報
【発明の開示】
【発明が解決しようとする課題】
【０００５】
この特許文献１では、前述のベース部材２１とカバー部材２２とが一体に構成されているので、図５に示すようなカバー部材２２がずれる不具合は解消することができる。しかし、特許文献１のものには胴縁が設けられておらず、肝腎の既設建築物の外壁への固定が不十分である。
【０００６】
そこで本発明は、既設の建築物の外壁に胴縁を介して外装パネルを設置するための出隅役物構成体を提供することを課題としている。
【課題を解決するための手段】
【０００７】
上記課題を解決するため、請求項１の発明では、既設の建築物の外壁を覆う外装パネルを設置するための出隅役物が、外装パネルの内側に配置されるベース部と、外装パネルの外側に配置されるカバー部とを備えており、前記ベース部とカバー部とは一体に構成されており、既設の建築物のコーナー部近傍の外壁に、鉛直方向に延びる胴縁を配置し、前記ベース部が、前記胴縁を介して既設の建築物の外壁に固定されるようにした。
【０００８】
請求項２の発明では、請求項１の発明において、胴縁は断面が溝型形状であり、前記胴縁に押圧するだけで装着可能な接続部材を前記胴縁に設け、前記接続部材と出隅役物とを固着した。
【０００９】
請求項３の発明では、請求項２の発明において、接続部材に突出部を設け、前記胴縁に前記突出部と係合する係合部を設けた。
【００１０】
請求項４の発明では、請求項３の発明において、接続部材の一部を押圧変形させて前記突出部を形成した。
【００１１】
請求項５の発明では、請求項２〜４のうちのいずれかの発明において、接続部材に雌ねじを設け、前記ベース部を貫通するねじを前記雌ねじと螺合させることにより、出隅役物と胴縁とを一体化させるようにした。
【発明の効果】
【００１２】
請求項１の発明では、既設の建築物の外壁を覆う外装パネルを設置するための出隅役物が、外装パネルの内側に配置されるベース部と、外装パネルの外側に配置されるカバー部とを備えており、前記ベース部とカバー部とは一体に構成されており、既設の建築物のコーナー部近傍の外壁に、鉛直方向に延びる胴縁を配置し、前記ベース部が、前記胴縁を介して既設の建築物の外壁に固定されるようにしたので、カバー部がベース部に対してずれることがなく、また、既設建築物の外壁に対して出隅役物を確実に固定することができる。
【００１３】
請求項２の発明では、胴縁は断面が溝型形状であり、前記胴縁に押圧するだけで装着可能な接続部材を前記胴縁に設け、前記接続部材と出隅役物とを固着したので、胴縁に対して簡単に接続部材を装着することができ、さらに、胴縁に出隅役物を接続するためのボルト孔を設ける等の細工をする必要がなく、胴縁の強度の低下を回避することができる。
【００１４】
請求項３の発明では、接続部材に突出部を設け、前記胴縁に前記突出部と係合する係合部を設けたので、極めて簡単な構成で胴縁と出隅役物とを接続することができる。
【００１５】
請求項４の発明では、接続部材の一部を押圧変形させて前記突出部を形成したので、接続部材に突出部を設けるために別の部材を用いる必要がなく、安価で且つ簡単に突出部を設けることができる。
【００１６】
請求項５の発明では、接続部材に雌ねじを設け、前記ベース部を貫通するねじを前記雌ねじと螺合させることにより、出隅役物と胴縁とを一体化させるようにしたので、胴縁に対して、確実に出隅役物を固定することができる。
【発明を実施するための最良の形態】
【００１７】
図１は、本発明の出隅役物構成体１の分解平面図である。また、図２は、接続部材３を装着した胴縁２を外壁５に固定した状態を示す平面図である。さらに、図３は、接続部材３を介して胴縁２に出隅役物４を固定した状態を示す平面図である。
【００１８】
図１に示すように、出隅役物構成体１は、外壁５のコーナ部に沿って鉛直に配置される胴縁２と、出隅役物４と、胴縁２と出隅役物４とを接続する接続部材３とで構成されている。
【００１９】
胴縁２は、断面が溝型形状を呈しており、外壁５と当接し且つ固定される底面部２ａと、内向きに湾曲した係合部２ｂを備えている。接続部材３も、断面が溝型形状であり、底面部３ａには孔３ｂが設けてある。この孔３ｂと同心状にナット７（雌ねじ）が固着されている。また、接続部材３の側壁３ｃには、突出部３ｄが設けてある。突出部３ｄは、側壁３ｃの一部に切り込みを入れ、さらに外側へ向かって押圧することにより変形させて構成されている。さらに両側の突出部３ｄが内向きに押圧された際に、側壁３ｃが撓むことができるように、側壁３ｃには図示しない切り込みが設けられている。
【００２０】
よって、接続部材３を胴縁２内に収容する際には、接続部材３の突出部３ｄが、胴縁２の係合部２ｂによって押圧されて内側へ撓み、突出部３ｄが係合部２ｂを通過すると、元の形状に復帰し、突出部３ｄが係合部２ｂに係合して、接続部材３が胴縁２から脱落しない（水平方向への取り外しができない）ようになる。
【００２１】
出隅役物４は、二つの直交するベース部材４ｂを有しており、各ベース部材４ｂの一端には、ベース部材４ｂとそれぞれ平行なカバー部材４ａが一体固着されている。さらに、カバー部材４ａの端部同士が同一素材の板状物９で接続されており、二点鎖線で囲んだ部分に基部４ｃが形成されている。すなわち、基部４ｃから直角方向に二組のカバー部材４ａとベース部材４ｂとが設けられており、各カバー部材４ａとベース部材４ｂとで、一体の出隅役物４が構成されている。
【００２２】
各ベース部材４ｂには、孔４ｄが設けられている。この孔４ｄには、ねじ８（雄ねじ）が挿通され、胴縁２に装着された接続部材３のナット７と螺合し、出隅役物４が胴縁２に固定されるようになっている。
【００２３】
接続部材３は、胴縁２に対して、長手方向には強固に固定されていないので、若干力を加えることによって長手方向に移動させることができる。これにより、出隅役物４の孔４ｄとナット７との心合わせ（位置合わせ）を行うことができる。
【００２４】
最後に、外装パネル６を、出縁役物４のベース部材４ｂとカバー部材４ａの間に配置すると、図３に示すように既設の外壁５を覆うことができる。
【００２５】
図示していないが、カバー部材４ａに防水パッキンを備えておき、カバー部材４ａと外装パネル６の間に水密性を持たせることにより、外装パネル６と出隅役物４の間から雨水が浸入することを防止でき、耐久性を向上させることができる。
【図面の簡単な説明】
【００２６】
【図１】本発明の出隅役物構成体の分解平面図である。
【図２】接続部材を装着した胴縁を外壁に固定した状態を示す平面図である。
【図３】接続部材を介して胴縁に出隅役物を固定した状態を示す平面図である。
【図４】従来の出隅役物を使用して外装パネルを設置した場合の斜視図である。
【図５】図４において、出隅役物の外側カバーが鉛直方向にずれた状態を示す斜視図である。
【符号の説明】
【００２７】
１  出隅役物構成体
２  胴縁
２ｂ  係合部
３  接続部材
３ｄ  突出部
４  出隅役物
４ａ  カバー部材（カバー部）
４ｂ  ベース部材（ベース部）
５  外壁
６  外装パネル
７  ナット（雌ねじ）
８  ねじ（雄ねじ）
【図１】
2007120047.tif 000003
【図２】
2007120047.tif 000004
【図３】
2007120047.tif 000005
【図４】
2007120047.tif 000006
【図５】
2007120047.tif 000007